(57)【要約】【課題】工具を用いての封印作業を一切不要とし、封印解除後の廃棄の際に分別作業が必要なく、封印具本体の貫通孔に封印線を通す作業も簡便化した封印具を提供する。【解決手段】封印具１２は、同一の素材で形成された封印具本体１３と封印線１４とを有して構成され、封印線１４は自在な方向に曲がる可撓性を有する線状体であると共に抜け防止のための突起部２０を有し、封印具本体１３は、封印線１４の長手方向の一方側端部が連結部１５にて一体不可分に連結されていると共にこの封印線１４が挿通可能な貫通孔１６を有し、この貫通孔１６の一方側は封印具本体１３のうち封印線１４が連結された側と同じ側に開口した構成とする。【選択図】図２
2009217068.tif 000002
【特許請求の範囲】
【請求項１】
同一の素材で形成された封印具本体と封印線とを有して構成され、
前記封印線は自在な方向に曲がる可撓性を有する線状体であると共に抜け防止手段を有し、
前記封印具本体は、前記封印線の長手方向の一方側端部が一体不可分に連結されていると共にこの封印線が挿通可能な貫通孔を有し、この貫通孔の一方側は前記封印線が連結された側と同じ側に開口していることを特徴とする封印具。
【請求項２】
前記封印具本体は、複数の構成部品により構成されて、これらの構成部品同士が対峙する面に溝部が設けられ、前記構成部品同士を合わせた際に前記溝部から前記貫通孔が形成されることを特徴とする請求項１に記載の封印具。
【請求項３】
前記封印具本体は、前記封印線が連結された部位と前記貫通孔の開口部との間に窪み部が形成されていることを特徴とする請求項１又は２に記載の封印具。
【請求項４】
前記封印線は、その先端側の部位のうち前記封印具本体の貫通孔に通った状態で前記封印具本体の貫通孔から露出する範囲において破断部が形成されていることを特徴とする請求項１、請求項２又は請求項３のいずれかに記載の封印具。
【請求項５】
前記封印線は、前記封印具本体の貫通孔に通った状態で前記封印具本体と連結する側の端部から前記封印具本体の貫通孔内に位置する部位よりも前記端部側までとなる範囲において破断部が形成されていることを特徴とする請求項１、請求項２、請求項３又は請求項４のいずれかに記載の封印具。
【発明の詳細な説明】
【技術分野】
【０００１】
この発明は、例えば電力量計等の計器類の端子等を覆うカバーについて不正に開放されるのを防止すべく封印するための封印具の構造に関するものである。
【背景技術】
【０００２】
この種の電力量計等を封印するために、例えば特許文献１において従来例として記載された図９及び図１０等に示されるように、封印ワイヤとこの封印ワイヤの両端部に圧着される封印鉛とから成る封印具が通常では用いられる。この封印具についてより具体的に説明すると、封印ねじの頭部に横孔を形成し、また、封印ねじの近傍にカバー部材と基台とのそれぞれに整合して形成された挿通孔を設け、これら横孔と挿通孔とに封印用ワイヤを通し、この封印用ワイヤの両端部を封印鉛の側面からこれに穿設された通孔に挿通させ、しかる後に工具により封印鉛を挟持して圧潰することで封印用ワイヤの両端部を封印鉛で結着するものとなっている。
【０００３】
これに対し、封印用の線材（上記「封印ワイヤ」と略同義）と、挿着孔（上記「挿通孔」と略同義）を有する線材係着部（上記「封印鉛」と略同義）とからなる構成を維持しつつ、これら線材の一方端が線材係着部に連結され、且つ線材の先端側部位が線材係着部の挿着孔に挿通される構成となっている封印具としては、例えば特許文献２に示されるような電力量計の封印具が既に公知となっている。
【特許文献１】特開２００６−６５００７号公報
【特許文献２】特開２００７−７８４９４号公報
【発明の開示】
【発明が解決しようとする課題】
【０００４】
もっとも、特許文献１に従来例として示される封印具では、工具により封印鉛を挟持して圧潰する過程が必要であるので、封印作業が相対的に煩雑化することが懸念される。また、封印具の封印鉛が鉛製であるのに対し、封印ワイヤが合成樹脂の素材を用いる場合には、今日における廃棄処分の基準の厳格化に伴い、封印具を撤去する際には、封印鉛と封印ワイヤとを分別して廃棄する必要が生ずるので、封印具の廃棄処理が煩雑化することも懸念される。
【０００５】
この点、特許文献２に示される封印具では、線材を線材係着部の挿着孔の一方開口か挿入して他方開口端から外部に送り出した後、線材係着部の先端が挿着孔と連通したネジ孔にボルト部をねじ込み、ボルト部の先端側面が線材をネジ孔の最深部側面に押し付けることで、線材を線材係着部に固定することから、工具を用いない手作業による封印作業が可能であるとされている。
【０００６】
もっとも、特許文献２に示される封印具において、線材を線材係着部の挿着孔の一方開口か挿入して他方開口から外部に送り出す過程が必要であるところ、この特許文献２の挿着孔の構成では、線材に設けられた被ロック部が障害となり、線材を挿着孔に挿通させる作業は煩雑化することが考えられる。しかも、特許文献２に示される封印具では、その図１（ｃ）に示されるように、挿着孔は線材係着部のうち電力量計が取り付けられる面（裏面）側から電力量計の表面側にかけて延びる構成となっているため、線材を線材係着部の挿着孔に対し裏面側から挿入させなければならないので、線材を挿着孔に挿通させる作業がより煩雑化するおそれがある。また、特許文献２に示される封印具では、線材係着部の頂面にその一端が連結された線材を、線材係着部の裏面から表面にかけて延びる挿着孔に挿通させた後の状態にあっては、その図１（ｄ）に示されるように、封印具が電力量計の被封印部の金具よりも前方側にぶら下がった状態となり、封印具が見映え等を悪くすることが考えられる。
【０００７】
また、特許文献２に示される封印具では、線材のうち挿着孔か出た余分な先端部分については対応が示されていないもので、この線材の余分な先端部分が残ったままでは見映え等を悪くし、また、ペンチ等の工具でこの余った先端部分を切断するとなると、工具を用いない手作業で封印作業を行うという趣旨が没却されることとなる。
【０００８】
そこで、本発明は、ペンチ等の工具を用いての作業を一切不要とし、封印解除後の廃棄の際に素材毎の分別廃棄が必要でも、廃棄処分に不便性を生じさせず、封印具本体の貫通孔に封印線を通すための作業を簡便化した封印具を提供することを目的とする。
【課題を解決するための手段】
【０００９】
この発明に係る封印具は、同一の素材で形成された封印具本体と封印線とを有して構成され、前記封印線は自在な方向に曲がる可撓性を有する線状体であると共に抜け防止手段を有し、前記封印具本体は、前記封印線の長手方向の一方側端部が一体不可分に連結されていると共にこの封印線が挿通可能な貫通孔を有し、この貫通孔の一方側は前記封印線が連結された側と同じ側に開口していることを特徴としている（請求項１）。封印具本体と封印線とに用いられる同一の素材は、一体的な成形の容易性も考慮して、例えばプラスチック等の合成樹脂材である。封印線の抜け防止手段は、例えば封印線の側面から傘状に突出した突起部であり、封印線の突起部が最も拡がった箇所における直径寸法は、封印具本体の貫通孔の拡径孔部以外での内径寸法よりも大きくなっている。
【００１０】
これにより、封印具を構成する封印具本体と封印線とは常に同一の素材で形成されているので、封印具を撤去した後に廃棄する場合でも封印具本体と封印線とを分離し、更に分別して別々に廃棄する必要性がなくなると共に、一つの型材から封印具本体と封印線とが一体になった封印具を製造することも簡易となる。また、封印具本体の貫通孔は、封印具本体の封印線が連結された側と同じ側に開口しているので、例えば封印具本体の裏面側に貫通孔が開口している場合に比し封印線を貫通孔の開口まで引き回す作業が簡易であり、且つ目視により貫通孔の開口に封印線の先端を導くことができるので、封印線を貫通孔に通す作業が簡便化する。さらに、封印具は計器の突出片のうち封印線が通される部分に対し鉛直方向の下方にこの突出片を挟みつつ下がった状態となることができ、被封印部のうち封印線が通される部分よりも前方側に出ることがないので、封印具が目障りとなることがなく、封印具が取り付けられた状態の見映えを相対的に向上させることもできる。
【００１１】
ここで、前記封印具本体は、複数の構成部品により構成されて、これらの構成部品同士が対峙する面に溝部が設けられ、前記構成部品同士を合わせた際に前記溝部から前記貫通孔が形成されるものとなっている（請求項２）。
【００１２】
これにより、封印具本体の貫通孔に対し、その開口端や軸方向の途中部位であっても当該貫通孔の他の部位よりも拡径された拡径部を形成することが容易となる。
【００１３】
また、前記封印具本体は、前記封印線が連結された部位と前記貫通孔の開口部との間に窪み部が形成されている（請求項３）。これにより、封印線が通された部位のうち貫通孔の開口周縁部分を、この封印具本体の窪みに配置することで、封印具本体は封印線が通された部位に略密着した状態で保持されることとなる。
【００１４】
その一方で、前記封印線は、その先端側の部位のうち前記封印具本体の貫通孔に通った状態で前記封印具本体の貫通孔から露出する範囲において破断部が形成されている（請求項４）。これにより、封印線を強く引っ張ることにより破断部で封印線が切れるので、封印具の貫通孔から露出した部分を切断するために工具を用いることを不要とする。
【００１５】
また、前記封印線は、前記封印具本体の貫通孔に通った状態で前記封印具本体と連結する側の端部から前記封印具本体の貫通孔内に位置する部位よりも前記端部側までとなる範囲において破断部が形成されている（請求項５）。これにより、電力量計等の計器を不正利用しようとして、封印線のうちその端部から封印具本体の貫通孔内に入った部分までの封印具本体から露出した部分を持って引っ張った場合には、封印線が破断部で切れることから、このような不正行為を試みたことについて客観的に確認することが可能となる。
【発明の効果】
【００１６】
以上のように、これらの発明によれば、通常は封印具本体がプラスチック等の合成樹脂材、封印線が銅線等の金属で形成されているところ、封印具を構成する封印具本体と封印線とが常に同一の素材で形成されているため、封印具を撤去した後に封印具本体と封印線とを分離し更に分別して個別に廃棄処分をする必要性がなくなるので、封印具の全体の廃棄処分を簡略化することが可能である。
【００１７】
また、これらの発明によれば、封印具本体の貫通孔を封印具本体の封印線が連結された側と同じ側に開口させているので、封印線の先端を貫通孔の開口まで引き回す作業が容易となり、しかも目視により貫通孔の開口に封印線の先端を導くことができるので、封印線を貫通孔に通す作業について相対的に簡便化を図ることが可能である。
【００１８】
特に請求項２に記載の発明によれば、封印具本体の貫通孔に対し、その開口端や軸方向の途中部位であっても当該貫通孔の他の部位よりも拡径された拡径部を形成することが容易となるので、貫通孔の内形状の自由度が向上する。
【００１９】
特に請求項３に記載の発明によれば、封印線が通された部位のうち貫通孔の開口周縁部分を、この封印具本体の窪みに配置することで、封印具本体は封印線が通された部位に略密着した状態で保持されるので、封印具で封印した状態の見映えが良くなり、封印具を取り付けた計器の全体的な範囲も相対的にコンパクトとなる。
【００２０】
特に請求項４に記載の発明によれば、封印具本体の貫通孔より露出した封印線の先端部を強く引っ張ることにより破断部で封印線が切れるので、封印具本体の貫通孔から露出した先端部分を切断し排除するために工具を用いることを不要とすることができる。
【００２１】
特に請求項５に記載の発明によれば、電力を不正使用のために電力量計等の計器に対する封印を解除しようとして、封印線のうちその端部から封印具本体の貫通孔内に入った部分までの封印具本体から露出した部分を持って引っ張った場合には、封印線が破断部で切れることから、このような不正行為を試みたことについて客観的に確認することが容易となるので、電力の不正使用に対する取り締まりを強化することが可能となる。
【発明を実施するための最良の形態】
【００２２】
以下、この発明の実施形態の一例を、図面に基づいて説明する。
【００２３】
図１において、計器板２に固定された電力量計１、この電力量計１の全体を覆うカバー３、並びに、計器板２の鉛直方向の下方から突出した突出片４の貫通孔５とカバー３の鉛直方向の下方から突出した突出片６の貫通孔７とに封印線１４を通すことで、カバー３の開閉を封印する封印具１２とが示されている。
【００２４】
この発明で用いられる電力量計１自体は公知のものであって、図１（ａ）及び図１（ｂ）に示されるように、計器部８と端子部９とで構成されて、螺子等の固定具により上記したように計器板２に固定されたものとなっている。カバー３は計器板２側が開放された筐体状のもので、電力量計１の計器部８の表示を見るための覗き窓１０が設けられている。
【００２５】
封印具１２は、封印具本体１３と封印線１４とを有して構成されており、この封印具本体１３と封印線１４とは、例えばプラスチック、その他の合成樹脂材等の同一の素材により形成されている。
【００２６】
このうち、封印具本体１３は、封印線１４の長手方向の一方端が一体不可分に連結する連結部１５と、この連結部１５が設けられた側と同じ側にその一方側が開口する貫通孔１６とを有している。そして、貫通孔１６は、その連結部１５側の開口端近傍において、貫通孔１６から封印具本体１３の外側に向けて延びるガイド溝路１７を有しており、これにより、貫通孔１６の連結部１５側の開口から封印線１４を挿入するにあたり、封印線１４の先端部をガイド溝路１７の内側面に突当して移動させることで貫通孔１６の開口まで案内されるので、封印線１４を貫通孔１６に通す作業が簡易化される。
【００２７】
また、貫通孔１６は、その軸方向の途中において後述する封印線１４の突起部２０と略同形状の内形状の拡径孔部１６ａを有している。これにより、封印線１４の突起部２０がこの拡径孔部１６ａに配置された場合には、封印線１４に対し挿入方向と逆方向に引っ張ってもこの突起部２０が抵抗となって封印線１４の抜けを防止することができる。
【００２８】
更に、封印具本体１３は、連結部１５と貫通孔１６の開口との間において窪み部１８を有しており、この窪み部１８に計器板２の突出片６のうち貫通孔７の下方縁部位とカバー３の突出片４のうち貫通孔５の下方縁部位とが位置するように封印具１２を取り付けることで、図１（ｃ）に示されるように、封印具本体１３が突出片４、６を挟むかたちで配置され、封印具本体１３が電力量計１に対する何らかの作業の際に障害となることがなく、封印具１２が電力量計１に取り付けられた状態の見映えも向上する。
【００２９】
封印線１４は、自在な方向に曲げることができるように可撓性を有した線状体で形成されており、貫通孔１６からの抜け防止手段として突起部２０が複数設けられている。この突起部２０は、その構成について特に限定されず、図３（ａ）に示されるように弾力性を有する膜状の部材が略傘状に暫時拡がった構成であっても、図３（ｂ）に示されるように弾力性を有する略円錐台状の構成であっても良い。
【００３０】
また、封印線１４は、図４及び図５に示されるように、その先端側の部位のうち封印具本体１３の貫通孔１６に通った状態で封印具本体１３の貫通孔１６から露出することとなる範囲において、破断部２１が形成されている。この破断部２１は、封印線１４の他の部位よりも直径寸法が細くなった構成であっても、その一方側から楔状等の切り込みを入れた構成であっても良い。これにより、封印線１４を封印具本体１３の貫通孔１６に挿通させた際に、封印線１４の先端部分が貫通孔１６よりも出た場合にはその余分な先端部分については手で持ってある程度以上に強く引っ張ることにより破断部２１で切れることから、ペンチ等の工具で封印線１４の貫通孔１６よりも出た余分な部分を切る作業が不要となり、この封印線１４の切断作業でも工具が必要なくなる。
【００３１】
さらに、封印線１４は、図２、図４から図６に示されるように、封印具本体１３の貫通孔１６に通った状態で封印具本体１３と連結する側の端部から封印具本体１３の貫通孔１６内に位置する部位までとなる範囲においても、破断部２１が形成されている。これにより、電力量計１を不正利用しようとして、封印線１４のうち封印具本体１３から外部に露出した部分を持って引っ張った場合には、封印線１４が破断部２１で切れるので、このような不正行為を試みたことについて客観的に確認することが可能となり、不正行為の取締を強化することができる。
【００３２】
以上の構成によれば、封印線１４を図４に示されるように逆Ｕ字状に折り曲げて封印線１４の先端を封印具本体１３の貫通孔１６側まで導き、ガイド溝路１７を利用して、
貫通孔１６の開口に封印線１４を挿入し、更に封印線１４を押すことで、封印線１４の先端部は図５に示されるように貫通孔１６のガイド溝路１７側とは反対側の開口から出ると共に貫通孔１６の拡径孔部１６ａに封印線１４の突起部２０が位置して、突起部２０が復元力により元の状態に戻って拡径孔部１６ａ内に拡がり、封印線１４の貫通孔１６からの抜け（特にガイド溝路１７側からの抜け）を防止することが可能となる。そして、封印線１４の貫通孔１６から出た先端部を手で持って強く引くことにより、封印線１４が破断部２１で切れて、封印線１４の貫通孔１６から出た部分は殆どなくなる。
【００３３】
その一方で、この実施例では、封印具本体１３は、図６に示されるように、２つの構成部品２３、２４と、この構成部品２３及び構成部品２４を連結するためのもので可撓性を有する連結部２５とで構成されている。
【００３４】
構成部品２３、２４は、上記貫通孔１６を形成する溝部２６、２７が構成部品２３、２４同士の突当する内面２８、２９に設けられ、また、構成部品２３の内面２８には係合突起３０が突出形成されていると共に、構成部品２４の内面２９には係合突起３０が係合固定される係合溝３１が形成されている。
【００３５】
この実施例では、上記拡径孔部１６ａを形成するために、溝部２６、２７の途中に突起部２０のうち軸方向に沿って割った半分の部位が収納される略半円錐台状の拡大溝部２６ａ、２７ａが、構成部品２３、２４の内面２８、２９に設けられていると共に、上記ガイド溝路１７を形成するために、溝部２６、２７の開口端近傍部位において当該溝部２６、２７の径方向に沿って切欠き３２、３３が延設されている。
【００３６】
また、構成部品２３、２４は、上記窪み部１８を構成すべくそれぞれ窪み部３４、３５が形成されている。そして、封印線１４の長手方向の一端が連結される連結部１５は、この実施例では、構成部品２４側に設けられている。但し、連結部１５を構成部品２３側に設けるようにしても良いことは勿論である。
【００３７】
このような構成により、連結部２５を折り曲げて構成部品２３の内面２８と構成部品２４の内面２９とを突当させた場合には、構成部品２３の係合突起３０が構成部品２４の係合溝３１に強固に係合されて、拡径孔部１６ａとガイド溝路１７とを有する貫通孔１６を備えた封印具本体１３と、及びその長手方向の一端が封印具本体１３の連結部１５に連結され、抜け防止用の突起部２０を有する封印線１４とが一体になった封印具１２が組み付けられる。
【００３８】
図７において、この発明に係る封印具１２の変形例が示されている。但し、この封印具１２においては、封印具１２の貫通孔１６の形状、すなわち、封印具本体１３の溝部２６、２７の形状以外の形状については先の実施例と同様であるため、かかる同様の構成については、先の実施例と同じ符号を付してその説明を省略する。
【００３９】
この図７に示される封印具１２は、図７（ｂ）に示されるように、貫通孔１６の連結部１５側の開口端近傍部位において、封印線１４の突起部２０の外形状に合わせてテーパー状となった拡径部１６ｂを有している。すなわち、封印具１２は、図７（ａ）に示されるように、構成部品２３、２４から主に構成される場合には、溝部２６、２７に、上記拡径部１６ｂを形成すべく、突起部２０のうち軸方向に沿って割った半分の部位が収納される略半円錐台状の拡大溝部２６ｂ、２７ｂが形成されている。
【００４０】
このような貫通孔１６の形成としたことにより、封印線１４の先端部を貫通孔１６の開口端に挿入しやすくなるので、封印線１４を貫通孔１６に通す作業が簡易化される。
そして、封印具本体１３を２つの構成部品２３、２４により構成したことにより、封印具本体１３の貫通孔１６の開口端、その途中に貫通孔１６の他の部位よりも拡径となる拡径孔部１６ａ、１６ｂを簡易な工程で設けることが容易化される。
【００４１】
最後に、封印線１４は、封印具本体１４の構成部品２３、２４が開いた状態で、例えば構成部品２３の溝部２６の溝内に沿って配置して、この構成部品２３、２４を閉じることにより、封印線１４が封印具本体１３の貫通孔１６内に通った状態としても良い。これにより、封印線１４を封印具本体１３の貫通孔１６に対しその一方の開口側から通す必要性がなくなる。
【図面の簡単な説明】
【００４２】
【図１】図１は、この発明に係る封印具の使用例を示す説明図であり、図１（ａ）は電力量計が同上の封印具で封印された状態を示す正面図、図１（ｂ）は電力量計が同上の封印具で封印された状態を側方から見た断面図、図１（ｃ）は図１（ｂ）の要部拡大図である。
【図２】図２は、同上の封印具の全体構成を示す説明図である。
【図３】図３は、同上の封印具を構成する封印線の抜け防止手段たる突起部の構成を示す断面図であり、図３（ａ）は同上の突起部が傘状に形成された構成を示し、図３（ｂ）は同上の突起部が略円錐台状に形成された構成を示している。
【図４】図４は、封印具本体の貫通孔に封印線をこれから通そうとする過程を示す説明図である。
【図５】図５は、封印具本体の貫通孔に封印線を通して、封印線の先端部が貫通孔から出た状態を示す説明図である。
【図６】図６は、同上の封印具本体を構成する構成部品の構成及びその組み付け前の状態を示す説明図である。
【図７】図７は、封印具本体の貫通孔の形状における変形例を示した説明図であり、図７（ａ）は同上の封印具本体を構成する構成部品の構成及びその組み付け前の状態を示す説明図、図７（ｂ）は封印具本体の貫通孔に封印線をこれから通そうとする過程を示す説明図である。
【符号の説明】
【００４３】
１２  封印具
１３  封印具本体
１４  封印線
１６  貫通孔
１８  窪み部
２０  突起部
２１  破断部
２３  構成部品
２４  構成部品
２８  内面
２９  内面
【図１】
2009217068.tif 000003
【図２】
2009217068.tif 000004
【図３】
2009217068.tif 000005
【図４】
2009217068.tif 000006
【図５】
2009217068.tif 000007
【図６】
2009217068.tif 000008
【図７】
2009217068.tif 000009